(57)【特許請求の範囲】
【請求項１】
第１枠材で囲まれた開口部に透明又は半透明の第１可撓性フィルムを張設した第１支持片を備えた第１収納部材と、第２枠材で囲まれた開口部に透明又は半透明の第２可撓性フィルムを張設した第２支持片を備えた第２収納部材とよりなり、
該第１枠材は、裏面側に内側突起、外側突起及び該両突起間の嵌合凹部を形成し、表面側には係止溝部を形成し、
該第２枠材は、裏面側に内側突起、外側突起及び該両突起間の嵌合凹部を形成し、表面側には係止溝部を形成し、
該第１、第２可撓性フィルム間で物品を挟持してなる包装容器において、該第１、第２支持片の各々を、該第１、第２収納部材の表面側に着脱自在に装着し、該第１収納部材と第２収納部材は、その各々の一端側を蝶番により回動自在に連結し、他端側に係止手段を設けてなることを特徴とする装飾装置兼用包装容器。
【請求項２】
第１、第２収納部材は、中央部に開口部を形成し、その周囲を立設壁部によって囲繞してなり、該壁部は二重壁として形成し、内側壁部を傾斜壁面として形成した傾斜壁部とし、外側壁面を垂直壁面として形成した垂直壁部とした断面直角三角形状とし、第１、第２支持片が装着される第１、第２可撓性フィルム側となる開口部を狭く、該傾斜壁面と垂直壁面とが接する直角三角形状の頂点側となる開口部を広くしてなることを特徴とする請求項１記載の装飾装置兼用包装容器。
【請求項３】
第１枠材で囲まれた開口部に透明又は半透明の第１可撓性フィルムを張設した第１支持片を備えた第１収納部材と、第２枠材で囲まれた開口部に透明又は半透明の第２可撓性フィルムを張設した第２支持片を備えた第２収納部材とよりなり、
該第１、第２収納部材は、中央部に開口部を形成し、その周囲を立設壁部によって囲繞してなり、該壁部は二重壁として形成し、内側壁部を傾斜壁面として形成した傾斜壁部とし、外側壁面を垂直壁面として形成した垂直壁部とした断面直角三角形状とし、該第１、第２支持片が装着される該第１、第２可撓性フィルム側となる開口部を狭く、該傾斜壁面と垂直壁面とが接する直角三角形状の頂点側となる開口部を広くしてなり、
該第１、第２可撓性フィルム間で物品を挟持してなる包装容器において、該第１、第２支持片の各々を、該第１、第２収納部材の表面側に着脱自在に装着し、該第１収納部材と第２収納部材は、その各々の一端側を蝶番により回動自在に連結し、他端側に係止手段を設けてなることを特徴とする装飾装置兼用包装容器。
【請求項４】
第１支持片は、第１枠材の内側突起を第１収納部材の傾斜壁部の頂部内側に係止させ、外側突起を外側垂直壁部の頂部内側に係止させ、嵌合凹部を該傾斜壁部の頂部に嵌合することで第１収納部材の表面側に着脱自在に装着し、同様に、第２支持片は、第２枠材の内側突起を第２収納部材の傾斜壁部の頂部内側に係止させ、外側突起を外側垂直壁部の頂部内側に係止させ、嵌合凹部を該傾斜壁部の頂部に嵌合することで第２収納部材の表面側に着脱自在に装着してなることを特徴とする請求項１乃至３のいずれか記載の装飾装置兼用包装容器。
【請求項５】
第１可撓性フィルムは、第１支持片の第１枠材表面側の係止溝部にその周縁端部を挿入係止することで開口部に張設し、同様に、第２可撓性フィルムは、第２支持片の第２枠材表面側の係止溝部にその周縁端部を挿入係止することで開口部に張設してなることを特徴とする請求項１乃至４のいずれか記載の装飾装置兼用包装容器。
【発明の詳細な説明】
【技術分野】
【０００１】
本発明は、対向する可撓性フィルム間に物品を挟持し、該物品の装飾手段及び運搬手段とした包装容器において、該可撓性フィルムを張設保持する支持片を収納部材に対して着脱自在とした装飾装置兼用包装容器に関する。
【背景技術】
【０００２】
本発明は、ガラス製品、精密機器等の破損しやすい或いは衝撃から回避する必要のある物品及び人形や各種装飾品等の立体形状をなす装飾品等の物品を、弾力性のある可撓性フィルムによって挟持し、該可撓性フィルムを保持する枠材を強固なものとした支持片とし、且つ、その支持片を本体となる収納部材に着脱自在とすることにより一部の取り替えで継続使用を可能とし、更に、物品の種類、形状、色彩等に合わせて別の支持片に適宜替えることのできる装飾装置兼用包装容器に関するものである。
【０００３】
下記する特許文献１は、図６（ａ）、（ｂ）に示すように、枠Ａ、Ａ´に装着した伸縮性素材Ｂ、Ｂ´間に物品Ｃを位置させ、該枠Ａ、Ａ´をその連結部において折り曲げることにより該伸縮性素材Ｂ、Ｂ´により該物品Ｃを挟持する包装容器であるが、物品Ｃの挟持後に該枠Ａ、Ａ´相互を粘着等により接合固定するものである。
【０００４】
また、特許文献２は、図７に示すように、開口部が設けられたフレームＤの該開口部前面に弾性シートＥが取り付けられた側を第１フレームＤとし、同様に、開口部が設けられたフレームＦの該開口部前面に弾性シートＧが取り付けられた側を第２フレームＦとし、その両者間に、物品Ｈを保持させ、それらを別体の輸送用ボックスＪ内に挿入することで周壁を固定させて該物品Ｈを損傷させることなく保護しながら輸送及び取り扱いができる包装装置である。
【０００５】
上記特許文献１の包装容器にあっては、同一の包装容器を反覆使用することができず、また、枠Ａ、Ａ´のみを着脱自在に交換する考えがないので、多種類の物品の装飾手段として、また、それらの運搬手段として反覆使用することはできなかった。
【０００６】
また、上記特許文献２の包装装置は、弾性シートＥ、Ｇを第１フレームＤ及び第２フレームＦに対して着脱自在に交換できるものではなく、また、弾性シートＥ、Ｇに挟持された物品Ｈは、該第１、第２フレームＤ、Ｆを輸送用ボックスＪ内に入れることで保持されるので、該輸送用ボックスＪを閉鎖する必要があり、挟持された物品Ｈが露出されることがなく、該物品Ｈを可視できる装飾手段としての機能はなかった。
【先行技術文献】
【特許文献】
【０００７】
【特許文献１】実開昭４９−１８９７５号公報
【特許文献２】特公表平３−５０３９９５号公報
【発明の概要】
【発明が解決しようとする課題】
【０００８】
本発明は、対向する可撓性フィルムを張設保持した着脱自在の強度の有る第１、第２支持片間に物品を挟持し、それらが強固な収納部材に装着固定されることになるので、該収納部材を単独で自立させることができ、物品の運搬手段の他、装飾手段としての機能を兼ねることができる包装容器である。また、該第１、第２支持片のみを劣化等に応じて自由に取り替えることができるし、更に、物品の種類、形状、色彩等に合わせて別のものと適宜交換することも可能であり、物品に合った装飾手段を速やかに交換することが可能となったものである。
【課題を解決するための手段】
【０００９】
本発明は、第１枠材で囲まれた開口部に透明又は半透明の第１可撓性フィルムを張設した第１支持片を備えた第１収納部材と、第２枠材で囲まれた開口部に透明又は半透明の第２可撓性フィルムを張設した第２支持片を備えた第２収納部材とよりなり、該第１、第２可撓性フィルム間で物品を挟持してなる包装容器において、該第１、第２支持片の各々を、該第１、第２収納部材の表面側に着脱自在に装着し、該第１収納部材と第２収納部材は、その各々の一端側を蝶番により回動自在に連結し、他端側に係止手段を設けてなる装飾装置兼用包装容器を特徴とする。
【００１０】
また、上記第１支持片は、第１枠材と該第１枠材で囲まれた開口部に張設した第１可撓性フィルムとよりなり、該第１枠材は、裏面側に内側突起、外側突起及び該両突起間の嵌合凹部を形成し、表面側には係止溝部を形成し、同様に、第２支持片は、第２枠材と該第２枠材で囲まれた開口部に張設した第２可撓性フィルムとよりなり、該第２枠材は、裏面側に内側突起、外側突起及び該両突起間の嵌合凹部を形成し、表面側には係止溝部を形成してなる装飾装置兼用包装容器を特徴とする。
【００１１】
更に、上記第１支持片は、第１枠材の内側突起を第１収納部材の傾斜壁部の頂部内側に係止させ、外側突起を外側垂直壁部の頂部内側に係止させ、嵌合凹部を該傾斜壁部の頂部に嵌合することで第１収納部材の表面側に着脱自在に装着し、同様に、第２支持片は、第２枠材の内側突起を第２収納部材の傾斜壁部の頂部内側に係止させ、外側突起を外側垂直壁部の頂部内側に係止させ、嵌合凹部を該傾斜壁部の頂部に嵌合することで第２収納部材の表面側に着脱自在に装着してなる装飾装置兼用包装容器を特徴とする。
【００１２】
また、上記第１可撓性フィルムは、第１支持片の第１枠材表面側の係止溝部にその周縁端部を挿入係止することで開口部に張設し、同様に、上記第２可撓性フィルムは、第２支持片の第２枠材表面側の係止溝部にその周縁端部を挿入係止することで開口部に張設してなる装飾装置兼用包装容器を特徴とする。
【００１３】
更に、上記第１、第２収納部材は、中央部に開口部を形成し、その周囲を立設壁部によって囲繞してなり、該壁部は二重壁として形成し、内側壁部を傾斜壁面として形成した傾斜壁部とし、外側壁面を垂直壁面として形成した垂直壁部とした断面直角三角形状とし、第１、第２支持片が装着される第１、第２可撓性フィルム側となる開口部を狭く、該傾斜壁面と垂直壁面とが接する直角三角形状の頂点側となる開口部を広くしてなる装飾装置兼用包装容器を特徴とする。
【発明の効果】
【００１４】
第１、第２可撓性フィルムの対面する側を装飾装置兼用包装容器の内側とし、該第１、第２可撓性フィルム間に挟持した物品は、該物品の一部が該装飾装置兼用包装容器の外周部を形成する第１、第２収納部材の立設壁部より外方へ突出した状態でも保持され、装飾装置兼用包装容器へ収納する物品の大きさの限度を拡大することが可能となった。
【００１５】
また、第１、第２可撓性フィルムを張設した第１、第２支持片のいずれも第１、第２収納部材に着脱自在としたことにより、それらの交換が可能となり、第１、第２可撓性フィルムの劣化等に伴なった取り替え、物品の種類、形状、色彩等に合わせて第１、第２可撓性フィルムを固定した他の形状や色彩等を有した第１、第２枠材と交換することができ、装飾装置兼用包装容器全体を替えることなく上記一部の交換のみで適切なものに対応することが可能となった。
【００１６】
更に、第１、第２収納部材の外周を形成する立設壁部の内側壁部を傾斜壁部となる断面直角三角形状としたことにより、該立設壁部の交差部側の開口部を第１、第２可撓性フィルム側の開口部より広くすることができ、これにより該第１、第２可撓性フィルムに挟持された物品の可視範囲を広くすることを可能とし、且つ、第１、第２可撓性フィルム側が狭くなる傾斜面により挟持された物品に対して遠近感を与えることができ、包装容器を装飾手段として使用した場合、該物品に立体感を創出させながら浮いた状態で周囲全体を保持することが可能となった。
【００１７】
また、物品は、装飾装置兼用包装容器の第１、第２可撓性フィルム間に包まれた状態で保持されているので、該装飾装置兼用包装容器を自由に回動させながら物品の裏側を含めた外面全体をその場において可視することができ、且つ、該第１、第２可撓性フィルムに包まれているので物品に直接接触することを防止でき、物品に直接的な損傷や汚れを生じさせることがなくなった。
【図面の簡単な説明】
【００１８】
【図１】本発明の装飾装置兼用包装容器における第１、第２収納部材を蝶番を中心に開放した状態の斜視図。
【図２】本発明の装飾装置兼用包装容器における第１収納部材側に第１支持片を装着させる状態の斜視図。
【図３】本発明の装飾装置兼用包装容器における第１収納部材側の第１支持片の裏面側斜視図。
【図４】本発明の装飾装置兼用包装容器の第１収納部材の外側壁部側における第１支持片と第１収納部材の装着部の断面図
【図５】（ａ）本発明の装飾装置兼用包装容器の第１収納部材の第１可撓性フィルム上に物品を配置した状態の略断面図、（ｂ）同第１収納部材上の物品に第２収納部材を覆い、該物品を保持した状態の略断面図。
【図６】（ａ）従来の包装容器の展開図、（ｂ）同包装容器により物品を保持した状態の側面図。
【図７】従来の包装装置の斜視図。
【発明を実施するための形態】
【００１９】
以下、本発明の実施の形態を詳細に説明する。
【実施例１】
【００２０】
図１は、本発明の装飾装置兼用包装容器１を開放した状態の斜視図を示している。該装飾装置兼用包装容器１は、第１収納部材２と第２収納部材３とが蝶番４により開閉自在に軸着され、該第１収納部材２の内側となる表面側には第１支持片５を着脱自在に設け、該第１支持片５には透明又は半透明の第１可撓性フィルム６を張設し、他方、該第２収納部材３の内側となる表面側にも第２支持片７を着脱自在に設け、第２支持片７にも透明又は半透明の第２可撓性フィルム８を張設している。上記装飾装置兼用包装容器１における第１、第２収納部材２、３及び第１、第２支持片５、７等の部材は、合成樹脂等の強度の有る部材で形成することになる。
【００２１】
該第１可撓性フィルム６と第２可撓性フィルム８との間には適宜物品を配置させ、該第１、第２収納部材２、３を蝶番４を軸として回動して閉鎖固定することにより該物品は弾力性のある該第１、第２可撓性フィルム６、８間に挟持されて保持されることになる。
【００２２】
該第１、第２収納部材２、３には両者を固定する係止手段が設けられ、本実施例では一方側の第２収納部材３の立設壁部となる外側縁にＬ字型の係止突起９を設け、他方側の第１収納部材２の立設壁部の外側縁に該Ｌ字型係止突起９が嵌合係止される溝を形成した係止部１０が設けられている。該Ｌ字型係止突起９の先端に設けた係止片１１を該係止部１０の溝先端部に回し込み、該係止突起９の係止片１１の内側基部の凹部１２を該係止部１０の溝先端部に係止することにより該係止突起９を固定することができる。
【００２３】
図２は、第１収納部材２に第１支持片５を嵌合固定する状態を示すもので、該第１収納部材２に二重の周側壁となる立設壁部を形成し、該立設壁部は内側側壁を形成する傾斜壁部１３、外側側壁を形成する垂直壁部１４及びその間の空隙部１５とよりなり、上面側を嵌合部としている。図３、図４に示すように、第１支持片５の外周部を形成する第１枠材１６の裏面側に内側突起１７、外側突起１８及び内外側突起１７、１８間の嵌合凹部１９を設け、該内側突起１７を該傾斜壁部１３の内側に位置させ、該外側突起１８を該垂直壁部１４の内側に位置させ、該嵌合凹部１９を傾斜壁部１３の頂部２０に嵌合させ、必要に応じて該空隙部１５の四隅等の適宜箇所に立設した立ち上げ筒状凹部２１に、該第１支持片５の第１枠材１６裏面側の該筒状凹部２１に対応する箇所に設けた突起２２を挿入係止させることにより、該第１支持片５を第１収納部材２に着脱自在に嵌合固定することができる。
【００２４】
該第１収納部材２の立設壁部は、図４で示すように、該傾斜壁部１３と垂直壁部１４との両先端の交差部側を略Ｖ字形の底となるように形成し、外側の立設壁部を垂直とした断面略直角三角形状とし、それにより底側の開口部Ｓ１を第１可撓性フィルム６を張設した側の開口部Ｓ２より広い開口部が生じるように形成している。
【００２５】
該傾斜壁部１３の頂部２０は、該垂直壁部１４の頂部２３より立ち上がり高を嵌合凹部１９位置の部材厚分だけ低く形成することにより第１支持片５が第１収納部材２に嵌合固定されたとき、該頂部２３上面と該第１支持片５の上面とを面一にすることができる。
【００２６】
該第１支持片５の第１枠材１６で囲まれた空間には、第１可撓性フィルム６が張設されるが、その周縁端部は内側突起１７の表面側に形成した係止溝部２４に嵌め込んで接着、融着等の手段により固定される。該第１可撓性フィルム６の隅部は、湾曲状とすることにより該第１可撓性フィルム６に皺を生じさせることなく該第１枠材１６に綺麗に張設させることができる。
【００２７】
第２収納部材３側の第２支持片７における第２可撓性フィルム８、傾斜壁部１３´、垂直壁部１４´、空隙部１５´、第２枠材１６´、内側突起１７´、外側突起１８´、嵌合凹部１９´、頂部２０´、筒状凹部２１´、突起２２´、頂部２３´、係止溝部２４´等の構成を、上記した第１収納部材２側と同様に形成することにより、第２収納部材３に該第２支持片７を着脱自在に嵌合固定することができる。
【００２８】
上記構成よりなる第１収納部材２と第２収納部材３の各々の第１可撓性フィルム６及び第２可撓性フィルム８との間に、図５（ａ）に示すように、物品Ｗを当該図にあっては第１可撓性フィルム６の面上に配置し、蝶番４を軸として第２収納部材３を回動させることにより、図５（ｂ）に示すように、物品Ｗを挟持することができる。物品Ｗは第２可撓性フィルム８の面上に配置してもよい。
【００２９】
第１可撓性フィルム６上に配置された物品Ｗは、該第２可撓性フィルム８に押圧され、図５（ａ）の状態の該第１可撓性フィルム６を下方へ押圧し、同時に、物品Ｗの上面側は該第２可撓性フィルム８により被覆されることになる。
【００３０】
この状態で第２収納部材３の立設壁部の外側縁より突出した係止突起９の先端に設けた係止片１１を第１収納部材２の立設壁部の垂直壁部１４の外側縁に形成した係止部１０の溝先端部に回し込み、該係止突起９の係止片１１の基部に設けた凹部１２を該係止部１０の溝先端部に係止することで、図５（ｂ）のように物品Ｗを強固に挟持固定することができる。
【００３１】
該第１収納部材２及び第２収納部材３の立設壁部を構成する各々の垂直壁部１４、１４´の高さ寸法を加えた高さを超えた高さ寸法の物品Ｗであっても第１、第２可撓性フィルム６、８の弾力性により、包装容器１の拡開側開口部Ｓ１、Ｓ１´の位置を越えた立設壁部より外方へ突出した状態で物品Ｗを挟持することができる。
【００３２】
上記のようにして物品を挟持固定した包装容器１は、物品Ｗに損傷を与えることなく安全に運搬する手段として使用することができ、且つ、物品Ｗを第１、第２可撓性フィルム６、８で挟持した状態で展示や飾り付け等の物品Ｗの展示や装飾手段として使用することができる。
【００３３】
該第１収納部材２及び第２収納部材３を物品Ｗを挟持して両者の第１可撓性フィルム６及び第２可撓性フィルム８が対面するように閉鎖した状態では、各々の立設壁部の断面三角形状を構成する傾斜壁部１３、１３´の形成により外側の開口部Ｓ１、Ｓ１´が広く形成され、且つ、奥行が狭まるようにテーパ面が形成された傾斜壁部１３、１３´により、内側の開口部Ｓ２、Ｓ２´が狭くされ、その狭い開口部Ｓ２、Ｓ２´側で物品が挟持されることになるので透視図法と同様、物品Ｗに立体感を一層強く与えることができる。
【００３４】
また、該第１可撓性フィルム６と第２可撓性フィルム８のいずれの前面にも閉鎖手段等の障害物がないので、利用者は両者間に挟持された物品Ｗを薄いフィルムを介して直接接触することができ、物品Ｗに損傷や汚れを付着させることなく表裏の区別なく全ての方向から物品Ｗの全体を可視することができ、また、本発明の装飾装置兼用包装容器１の大きさや物品Ｗの重さ等によっては、看者がそれらを持ち上げることができ、物品Ｗを中心としてその周囲を看者が回るのではなく、該装飾装置兼用包装容器１を回動させることで、浮かせた状態で全体を可視することが可能となるものである。
【００３５】
また、装飾装置兼用包装容器１の大きさに限定されることなく、ボリュームのある物品Ｗをそのまま挟持することができ、且つ、物品Ｗの種類、形状、色彩等に合わせた各種形状や色彩等を有した枠材を持つ第１支持片５及び／又は第２支持片７へと替えることにより物品Ｗと枠材とのバランスを適宜選択できることが可能となった。
【符号の説明】
【００３６】
１        装飾装置兼用包装容器
２        第１収納部材
３        第２収納部材
４        蝶番
５        第１支持片
６        第１可撓性フィルム
７        第２支持片
８        第２可撓性フィルム
９        係止突起
１０      係止部
１１      係止片
１２      凹部
１３      傾斜壁部
１４      垂直壁部
１５      空隙部
１６      第１枠材
１６´    第２枠材
１７      内側突起
１８      外側突起
１９      嵌合凹部
２０      頂部
２１      筒状凹部
２２      突起
２３      頂部
２４      係止溝部
【図１】
0006608179.tif 000002
【図２】
0006608179.tif 000003
【図３】
0006608179.tif 000004
【図４】
0006608179.tif 000005
【図５】
0006608179.tif 000006
【図６】
0006608179.tif 000007
【図７】
0006608179.tif 000008